(57)【要約】【課題】例え就寝者Ｍが足Ｍｆで無意識に足掛け部２が蹴飛ばしても、足掛け部２を皺くちゃに変形させたり足掛け部２の下縁２ａや側縁２ｂを部分的に浮き上がらせたりすこともなく、就寝者Ｍの足Ｍｆを足掛け部２で確実に覆って保温し安眠できる状態を維持すること。                                                                          【解決手段】保温性がある面状の足掛け部２と、足掛け部２の下縁２ａに沿って延びて、この下縁２ａに付設した折れ防止用の下縁側芯材３と、足掛け部２の一方の側縁２ｂに沿って延びて、この一方の側縁２ｂに付設した折れ防止用の側縁側芯材４とを備え、下縁側芯材３と側縁側芯材４を分離している。【選択図】図２
2006192172.tif 000002
【特許請求の範囲】
【請求項１】
保温性がある面状の足掛け部と、足掛け部の下縁に沿って延びて、この下縁に付設した折れ防止用の下縁側芯材と、足掛け部の一方の側縁に沿って延びて、この一方の側縁に付設した折れ防止用の側縁側芯材とを備え、下縁側芯材と側縁側芯材を分離したこと特徴とする足掛け保温具。
【請求項２】
保温性がある面状の足掛け部と、足掛け部の下縁に沿って延びて、この下縁に付設した折れ防止用の下縁側芯材と、足掛け部の両側縁の各々に沿って延びて、この両側縁の各々に付設した折れ防止用の側縁側芯材とを備え、下縁側芯材と各側縁側芯材を分離したこと特徴とする足掛け保温具。
【請求項３】
前記足掛け部に前記各芯材を着脱自在に付設した請求項１又は２記載の足掛け保温具。
【請求項４】
前記足掛け部を重合した複数枚の保温材から形成し、重合する保温材の間に前記各芯材を配置した請求項１，２又は３記載の足掛け保温具。
【請求項５】
前記芯材は、柔軟性のある細長い袋と、この袋内に充填した粒状物からなる変形可能な充填部と、芯材の長手方向へ延びて、この充填部内に潜り込んだ中芯と、で形成されている請求項１，２，３又は４記載の足掛け保温具。
【発明の詳細な説明】
【技術分野】
【０００１】
本発明は、就寝中の足を保温する足掛け保温具に関するものである。
【背景技術】
【０００２】
足の冷えやすい人は、冷えを防止するために、大腿部から足先までの部分を足掛け保温具で直接覆って保温するのが望ましい。殊に、就寝中にふくらはぎや大腿部に発生する痛みのある持病者には、足掛け保温具による自身の体温保持の効用によって痛みを消滅又は和らげて安眠できる。なお、足の冷えにより排尿回数が多い高齢者等にあっては、足掛け保温具で保温して就寝すれば、排尿回数を少なくできる。そこで、一般には、毛布、肌布団又はタオルケット等を折り畳む等して、大腿から足先までの部分を覆うことができる大きさとなる足掛け保温具を用いることがある。しかし、このような足掛け保温具は、大きさが掛け布団より小さいため就寝者の無意識な蹴飛ばし等で移動して、大腿部から足先までの部分を覆わない状態となったり、足先側が浮き上がって隙間風を侵入させる等の好ましくない状態となることがある。
【０００３】
従来、掛け布団の位置ズレや掛け布団の足元の浮き上がりを阻止するものとして、特許文献１に足元カバーが提案されている。この足元カバーは、所定の大きさのシート状布地を折り曲げ可能とし、折り曲げときの両側縁をファスナーやボタン等で閉じるようにしたものであり、展開した状態で敷布団の足先側下面へ半分を差込み、重ねた状態の敷布団及び掛け布団の下端縁で折り返して残りの半分で掛け布団の上面足時側を覆い、その後に両側縁をファスナーやボタン等で閉じて、敷布団及び掛け布団の足先側を包み込むようにしたものである。
【特許文献１】特開平７−２１３４０２号公報
【発明の開示】
【発明が解決しようとする課題】
【０００４】
ところが、敷布と掛け布団を上記足元カバーで包み込んだとしても、敷き布団と掛け布団の間に配置される足掛け保温具は、足元カバーに拘束されることもなく、就寝者の無意識な蹴飛ばし等で移動して、大腿部から足先までの部分を覆わない状態となったり、下縁や側縁が部分的に浮き上がって隙間風を侵入させる等の好ましくない状態となることがある。そこで、敷布団と足掛け保温具を上記足元カバーで包み込むことも考えられるが、掛け布団に比べて身丈方向の寸法が短い足掛け保温具は、就寝中に足で無意識に蹴飛ばされると、足元カバーで拘束しきれずに、全体が移動することもある。更に、寝床に入るときに、大腿から足先までの部分を覆う足掛け保温具の全体が足元カバーで包み込まれて移動しない状態になっていると、敷き布団と足掛け保温具の間へ足を入れるが簡単にできない。殊に、足腰の弱い高齢者等の場合には、殊更困難である。
【０００５】
そこで、本発明は、上記問題を解決するために創案したものであって、就寝者の無意識な蹴飛ばし等で移動したり、足先側が浮き上がって隙間風が侵入する等の不具合が生じなく、また、寝床への出入りが簡単にできる足掛け保温具の提供を目的とする。
【課題を解決するための手段】
【０００６】
上記目的を達成するために請求項１記載の本発明が採用した手段は、保温性がある面状の足掛け部と、足掛け部の下縁に沿って延びて、この下縁に付設した折れ防止用の下縁側芯材と、足掛け部の一方の側縁に沿って延びて、この一方の側縁に付設した折れ防止用の側縁側芯材とを備え、下縁側芯材と側縁側芯材を分離したこと特徴とする足掛け保温具である。
【０００７】
上記目的を達成するために請求項２記載の本発明が採用した手段は、保温性がある面状の足掛け部と、足掛け部の下縁に沿って延びて、この下縁に付設した折れ防止用の下縁側芯材と、足掛け部の両側縁の各々に沿って延びて、この両側縁の各々に付設した折れ防止用の側縁側芯材とを備え、下縁側芯材と各側縁側芯材を分離したこと特徴とする足掛け保温具である。
【０００８】
足掛け部を洗濯するときに芯材が邪魔にならないようにするために請求項３記載の本発明が採用した手段は、前記足掛け部に前記各芯材を着脱自在に付設した請求項１又は２記載の足掛け保温具である。
【０００９】
足に芯材が触れないようにするために請求項４記載の本発明が採用した手段は、前記足掛け部を重合した複数枚の保温材から形成し、重合する保温材の間に前記各芯材を配置した請求項１，２又は３記載の足掛け保温具である。
【００１０】
芯材に当たったとしても痛くないようにするために請求項５記載の本発明が採用した手段は、前記芯材は、柔軟性のある細長い袋と、この袋内に充填した粒状物からなる変形可能な充填部と、芯材の長手方向へ延びて、この充填部内に潜り込んだ中芯と、で形成されている請求項１，２，３又は４記載の足掛け保温具である。
【発明の効果】
【００１１】
請求項１及び２記載の本発明に係る足掛け保温具は、就寝者の足を足掛け部で覆って保温するように配置して使用され、使用中の足掛け部の下縁や側縁をこれら縁に沿って延びる芯材で保持するので、例え就寝者が無意識に足掛け部を蹴飛ばしても、足掛け部を皺くちゃに変形させたり足掛け部の下縁や側縁を部分的に浮き上がらせたりすこともないため、隙間風を侵入させる等の不具合も生ぜず、就寝者の足を足掛け部で覆って保温し安眠できる状態を提供できる。
【００１２】
請求項３記載の本発明に係る足掛け保温具は、芯材を分離することで、足掛け部を折り畳む等して洗濯機で洗濯することができるようになる。
【００１３】
請求項４記載の本発明に係る足掛け保温具は、重合する保温材の間に配置した各芯材が足に直接触れないので、違和感なく安眠できる状態を提供できる。
【００１４】
請求項５記載の本発明に係る足掛け保温具は、芯材に足等が当たっとしても、当たった部分の袋及び充填部が適度に変形するので、痛くなく安眠できる状態を提供できる。
【発明を実施するための最良の形態】
【００１５】
本発明に係る足掛け保温具（以下、「本発明保温具」と言う。）を図面に示す実施形態に基づいて説明する。
【００１６】
（第１の実施の形態）
図１乃至図３は本発明の第１の実施の形態を示すものであり、図１は就寝者Ｍの足Ｍｆを本発明保温具１で覆って保温している状態を示すものであり、掛け布団１５の一部を破断した平面図である。図２は掛け布団１５及び本発明保温具１の一部を捲って寝床へ入ろうとする状態を示す平面図である。図３は本発明保温具１を示すものであり、（Ａ）は平面図、（Ｂ）は別態様を示す平面図、（Ｃ）は（Ａ）のｃ−ｃ線で断面して中間省略した拡大断面図、（Ｄ）は（Ａ）のｄ−ｄ線で断面して中間省略した拡大断面図、（Ｅ）は芯材の拡大横断面図、（Ｆ）は芯材の付設構造の異なる態様を中間省略して示す拡大断面図である。
【００１７】
本発明保温具１は、保温性がある面状の足掛け部２と、足掛け部２の足元側の下縁２ａに付設した折れ防止用の下縁側芯材３と、足掛け部２の左右の側縁２ｂ，２ｃの一方（本例は左側の側縁２ｂ）に付設した折れ防止用の側縁側芯材４とを備え、下縁側芯材３に対して側縁側芯材４を自在に移動できるようしてある。
【００１８】
前記足掛け部２は、起毛又は起毛していない毛布、アクリル等の合成繊維布若しくは綿布、または、綿層を二枚の布で挟んで綿層と共に二枚の布を刺し縫いしたキルティング等の変形自在な面状の保温材５から形成したものである。足掛け部２は、一枚の保温材５から形成する場合と、複数枚の保温材５を重合して形成する場合とがある。足掛け部２は、大腿部から足先までの部分を覆うことができる大きさに成形され、好ましくは敷布団１４からはみ出ない大きさとなっており、例えば、身丈（上下）方向の丈寸法Ｈ（図３（Ａ）参照）が８０〜１００ｃｍで肩幅（左右）方向の幅寸法Ｗが７０〜１１０ｃｍの範囲で適宜選択され、予め、適宜寸法設定したＳサイズ（例えば、Ｈ＝８０ｃｍ，Ｗ＝７０ｃｍ），Ｍサイズ（例えば、Ｈ＝９０ｃｍ，Ｗ＝９０ｃｍ），Ｌサイズ（例えば、Ｈ＝１００ｃｍ，Ｗ＝１１０ｃｍ）に成形しておくこともある。
【００１９】
前記下縁側芯材３及び側縁側芯材４は、足等が当たったとしても痛くないようにするために、柔軟性のある細長い袋１６と、この袋１６内に充填した粒状物からなる変形可能な充填部１７と、芯材３（４）の長手方向へ延びて、この充填部１７内に潜り込んだ中芯１８とで形成されている。袋１６は、柔軟性のある生地（例えば、表側の布と、中間の弾力性のある不織布と、内側の軟質樹脂シートとを貼り合わせたもの）を縫製１６ａしたものや、軟質の合成樹脂膜で筒状に形成したもの、または、軟質の合成樹脂製チューブ（例えば、シリコンチューブ）等が用いられる。充填部１７を形成する粒状物は、砂のみや、砂と合成樹脂粒子との混合物等が用いられる。中芯１８は、竹、木材、合成樹脂又は金属からなり、細長い板状、棒状又は管状に成形したものが用いられ、折れ曲がらないようにして芯材３（４）の直線状態を維持している。芯材３（４）は、足等が当たっとしても、当たった部分の袋１６及び充填部１７が適度に変形するので痛くない。なお、芯材３（４）は、図示は省略したが、中芯１８をスポンジ等の発泡樹脂層で被覆して表面を軟らかくして、当たっても痛くないものを用いることも可能である。
【００２０】
前記芯材３（４）は、その重みにより下縁２ａや側縁２ｂを敷布団１４に押さえ付けて隙間風を侵入させない重さとなるように、例えば、長さ１０ｃｍ当たり、４５〜６５グラムの範囲で適宜選択される。また、本発明保温具１は、就寝中に足の移動が激しい使用者Ｍに対処するために、前記下縁側芯材３及び側縁側芯材４の単位長さ当たりの重量について、側縁側芯材４より下縁側芯材３を重くして、下縁２ａを移動し難くするとよい。
【００２１】
前記下縁側芯材３は、足掛け部２の下縁２ａに沿って延びて下縁２ａに付設する長さ寸法で、下縁２ａの幅寸法Ｗより若干短い寸法とすることで下縁２ａの領域内に収まるようにして下縁２ａからはみ出ないようにしてある。前記側縁側芯材４は、足掛け部２の側縁２ｂに沿って延びて側縁２ｂに付設する長さ寸法で、側縁２ｂの丈寸法Ｈより若干短い寸法とすることで側縁２ｂの領域内に収まるようにして側縁２ｂからはみ出ないようにしてある。本発明保温具１は、両芯材３，４を連結せずに分離し、図２に示すように足掛け部２を捲って寝床へ入ろうとするとき、両芯材３，４の接近箇所（足掛け部２の下隅部）から延びる仮想線Ｆを境にして足掛け部２が折れ曲がるようになっている。
【００２２】
前記足掛け部２に両芯材３，４を付設する構造には、図３（Ｃ）（Ｄ）に示すように足掛け部２に内蔵する内付けタイプと、図３（Ｆ）に示すように足掛け部２の外側に配置して足掛け部２に連結する外付けタイプとがある。内付けタイプは、例えば、足掛け部２が複数枚の保温材５を重合して形成した場合には、図３（Ｃ）（Ｄ）に示す如く、重合する保温材５，５の間に各芯材３，４を配置する。図３（Ｃ）の構造は、一枚の保温材５を折り畳んだ折曲部を下縁２ａとし、下縁２ａに沿って折曲部を縫合６して収納袋部７を形成し、収納袋部７へ芯材３を差し込んで収納してある。同図（Ｄ）の構造は、重合した二枚の保温材５，５に側縁２ｂを形成し、側縁２ｂに沿って縫合６，６して収納袋部８を形成し、収納袋部８へ芯材４を差し込んで収納してある。収納袋部７，８は、少なくとも一方の端に開閉自在な開口部を形成し、開口部を介して芯材３，４を抜き差しできるようにして、足掛け部２に芯材３，４を着脱できるようにしてある。この内付けタイプは、各芯材３，４，１１，１２が足掛け部２を形成する保温材５で覆われているため、各芯材３，４，１１，１２に足が直接触れることもなく、違和感なく安眠できる。なお、足掛け部２は、同図（Ｃ）（Ｄ）に示すように、上縁２ｄ、両側縁２ｂ，２ｃを縁覆い布９で覆って、保温材５，５に縁覆い布９を縫合６することで見栄えよくしてある。
【００２３】
前記足掛け部２に両芯材３，４を付設する外付けタイプは、図３（Ｆ）に示す如く、足掛け部２の下縁２ａ（又は側縁２ｂ）にファスナー、紐又はホック等の連結具１０を介して芯材３（又は４）を着脱自在に連結したものである。就寝中に足の移動が特に激しい使用者Ｍに対処するために、複数本の芯材３や芯材４を連結できるようにしてもよい。また、外付けタイプの別態様としては、図示は省略したが、足掛け部２の下縁２ａ及び／又は側縁２ｂの外側に収納袋を縫合する等して取着し、収納袋内へ一本又は複数本の芯材３，４を出し入れ自在に挿着する構造がある。
【００２４】
図３（Ｂ）に示す本発明保温具１は、足掛け部２の他方の側縁２ｃと上縁２ｄの交差する内隅部２ｅに、芯材１１，１２を付設してある。芯材１１，１２は、両者を連結又は分離した状態にして、図（Ｄ）の芯材４と同様に、足掛け部２の二枚の保温材５，５に間に着脱自在に配置される。芯材１１，１２は、前記芯材３，４と同様な素材から棒状に成形され、身丈方向に沿う芯材１１は約１５ｃｍ程度の長さ寸法で、幅方向に沿う芯材１２は約１０ｃｍ程度の長さ寸法となっている。本発明保温具１は、内隅部２ｅに芯材１１，１２を付設することで、就寝中の内隅部２ｅの型崩れを防止すると共に、仮に就寝中に足掛け部２の内側に若干の皺や移動が生じたとしても、芯材１１，１２を付設した近辺を手で外側へ引っ張る等して皺や移動を除去して元の面状に簡単に修正できる。
【００２５】
本発明保温具１は、図１に示す如く、就寝者Ｍの足Ｍｆを足掛け部２で覆って保温するように配置され、必要に応じて掛け布団１５で覆って使用される。本発明保温具１は、足掛け部２の下縁２ａや側縁２ｂをこれら縁に沿って延びる芯材３，４で保持して、下縁２ａや側縁２ｂの直線状態を維持するので、例え就寝者Ｍが足Ｍｆで無意識に足掛け部２が蹴飛ばしても、足掛け部２を皺くちゃに変形させたり足掛け部２の下縁２ａや側縁２ｂを部分的に浮き上がらせたりすこともなく、更に、芯材３，４の重みにより下縁２ａや側縁２ｂを敷布団１４に押さえ付けて隙間風を侵入させることもない。したがって、本発明保温具１は、就寝者Ｍの足Ｍｆを足掛け部２で確実に覆って保温し安眠できる状態を維持できる。殊に、高齢者の就寝者Ｍは、足Ｍｆを本発明保温具２１の足掛け部２で確実に覆って保温できるため足Ｍｆの冷も無くなり、就寝中の排尿回数を低減できる。
【００２６】
寝床から出入りするときには、図２に示す如く、掛け布団１５と共に本発明保温具１の一部を折り曲げるようにして捲り、本発明保温具１の捲られていない足掛け部２と敷布団１４との間へ足Ｍｆを出し入れするとよい。また、足掛け部２と敷布団１４との間へ足Ｍｆを入れた後は、掛け布団１５と共に本発明保温具１の一部を折り戻し、敷布団１４の上に横になった就寝者Ｍの足Ｍｆを足掛け部２及び敷布団１４で覆って保温するよい。本発明保温具１は、足掛け部２の一方の側縁２ｂに付設した芯材４が側縁２ｂの直線性を維持しているので、側縁２ｂの下端側を中心として側縁２ｂの全体を捲って折り曲げたり、逆に、折り戻すことが容易にできる。
【００２７】
本発明保温具１は、汚れた足掛け部２を洗濯するときには、足掛け部２から各芯材３，４，１１，１２を分離することで、足掛け部２を折り畳む等して洗濯機で洗濯することができる。
【００２８】
（第２の実施の形態）
図４乃至図６は本発明の第２の実施の形態を示すものであり、図４は就寝者の足を本発明保温具２１で覆って保温している状態を示すものであり、掛け布団１５の一部を破断した平面図である。図５は掛け布団１５及び本発明保温具２１の一部を捲って寝床へ入ろうとする状態を示す平面図である。図６は本発明保温具２１を示す平面図である。
【００２９】
本発明保温具２１が前記第１の実施の形態に係る本発明保温具１と大きく相違する点は、両方の側縁２ｂ，２ｃに折れ防止用の側縁側芯材４，４を付設したことであり、その他の点は前記本発明保温具１と実質的に同一であり、図中に示す同一符号は同一の部材や部位等を指している。他方の側縁２ｃに付設する折れ防止用の側縁側芯材４は、前記第１の実施の形態で説明した通りのものを用いて付設していることから、ここでの説明を省略する。
【００３０】
本発明保温具２１は、就寝者Ｍの足Ｍｆを足掛け部２で覆って保温するように配置され、足掛け部２の下縁２ａや側縁２ｂ，２ｃをこれら縁に沿って延びる芯材３，４，４で保持するので、例え就寝者Ｍが足Ｍｆで無意識に足掛け部２が蹴飛ばしても、足掛け部２を皺くちゃに変形させたり足掛け部２の下縁２ａや側縁２ｂ，２ｃを部分的に浮き上がらせたりすこともなく、更に、芯材３，４，４の重みにより下縁２ａや側縁２ｂ，２ｃを敷布団１４に押さえ付けて隙間風を侵入させることもない。したがって、本発明保温具２１は、就寝者Ｍの足Ｍｆを足掛け部２で確実に覆って保温し安眠できる状態を維持できる。
【図面の簡単な説明】
【００３１】
【図１】本発明の第１の実施の形態を示すものであり、就寝者の足を本発明保温具で覆って保温している状態で掛け布団の一部を破断した平面図である。
【図２】本発明の第１の実施の形態を示すものであり、掛け布団及び本発明保温具の一部を各々捲って寝床へ入ろうとする状態を示す平面図である。
【図３】本発明保温具の第１の実施の形態を示すものであり、（Ａ）は平面図、（Ｂ）は別態様を示す平面図、（Ｃ）は（Ａ）のｃ−ｃ線で断面して中間省略した拡大断面図、（Ｄ）は（Ａ）のｄ−ｄ線で断面して中間省略した拡大断面図、（Ｅ）は芯材の拡大横断面図、（Ｆ）は芯材の付設構造の異なる態様を中間省略して示す拡大断面図である。
【図４】本発明の第２の実施の形態を示すものであり、就寝者の足を本発明保温具で覆って保温している状態で掛け布団の一部を破断した平面図である。
【図５】本発明の第２の実施の形態を示すものであり、掛け布団及び本発明保温具の一部を各々捲って寝床へ入ろうとする状態を示す平面図である。
【図６】本発明保温具の第２の実施の形態を示す平面図である。
【符号の説明】
【００３２】
１，２１…本発明保温具、２…足掛け部、２ａ…下縁、２ｂ，２ｃ…左右の側縁、３…下縁側芯材、４…側縁側芯材、５…保温材、１６…袋、１７…充填部、１８…中芯
【図１】
2006192172.tif 000003
【図２】
2006192172.tif 000004
【図３】
2006192172.tif 000005
【図４】
2006192172.tif 000006
【図５】
2006192172.tif 000007
【図６】
2006192172.tif 000008